(57)【要約】【課題】引締めねじが抜けにくくする構成をフランジ部に設ける必要が無い挟み取付構造及び電気器具を提供する。【解決手段】支持部材３１には、フランジ部１１の接触面１１１と直交する方向に沿ってガイド溝３１５が設けられる。引締めねじ３２のねじ頭がフランジ部１１における接触面１１１と反対側の面に配置され、フランジ部１１の第１挿入孔１１２と支持片３１６の第２挿入孔３１１とに軸部３２２が挿入された状態で、軸部３２２のうち第２挿入孔３１１からフランジ部１１と反対側に突出している部位に抜け止め部３２５が設けられる。軸部３２２の軸方向と直交する一方向において抜け止め部３２５の寸法が第２挿入孔３１１の直径よりも大きい。【選択図】図２
2018004017.tif 000002
【特許請求の範囲】
【請求項１】
造営材の表面に接触する接触面を有するフランジ部と、
前記フランジ部の前記接触面から突出している支持部材と、
前記フランジ部との間で前記造営材を挟むための押さえ部材と、
少なくとも一部に雄ねじ部が設けられた軸部及び前記軸部の一端に設けられたねじ頭を有する引締めねじと、を備え、
前記支持部材には、前記軸部のうち前記雄ねじ部が設けられた部位が少なくとも配置されるガイド溝が、前記接触面と直交する方向に沿って設けられており、
前記支持部材は、前記ガイド溝の両端のうち前記フランジ部と反対側の端にある支持片を有し、
前記フランジ部及び前記支持片には、前記軸部の軸方向において前記ガイド溝と外部とをつなぐ第１挿入孔及び第２挿入孔がそれぞれ設けられており、
前記押さえ部材は、前記ガイド溝に配置された前記雄ねじ部と噛み合う雌ねじ部と、前記ガイド溝の外側に突出して前記フランジ部との間で前記造営材を挟むための押さえ片とを有し、
前記ねじ頭が前記フランジ部における前記接触面と反対側の面に配置され、前記第１挿入孔と前記第２挿入孔とに前記軸部が挿入された状態で、前記軸部のうち前記第２挿入孔から前記フランジ部と反対側に突出している部位に抜け止め部が設けられており、
前記軸部の軸方向と直交する一方向において前記抜け止め部の寸法が前記第２挿入孔の直径よりも大きい、
ことを特徴とする挟み取付構造。
【請求項２】
前記軸部のうち前記軸部の軸方向において前記支持片に対して前記抜け止め部と反対側の部位に前記雄ねじ部と連続して回転止め部が設けられており、
前記軸部の軸方向と直交する一方向において前記回転止め部の寸法が前記雄ねじ部の谷の径よりも大きい、
ことを特徴とする請求項１に記載の挟み取付構造。
【請求項３】
前記支持部材には、前記軸部の軸方向において前記回転止め部に対応する部位に、前記ガイド溝が前記軸部の軸方向と直交する一方向の両側に開放されるように、前記ガイド溝と外部とをつなぐ貫通部が設けられている、
ことを特徴とする請求項２に記載の挟み取付構造。
【請求項４】
前記第１挿入孔の内径が前記雄ねじ部の呼び径よりも大きい、
ことを特徴とする請求項１〜３のいずれか１項に記載の挟み取付構造。
【請求項５】
請求項１〜４のいずれか１項に記載の挟み取付構造と、前記挟み取付構造を用いて前記造営材に取り付けられるハウジングとを備えた、
ことを特徴とする電気器具。
【発明の詳細な説明】
【技術分野】
【０００１】
本発明は、挟み取付構造、及びそれを備える電気器具に関し、とくに、造営材に電気器具のハウジングを取り付けるための挟み取付構造、及びそれを備える電気器具に関する。
【背景技術】
【０００２】
従来、天井の造営材にハウジングを固定するための挟み金具を備えた人体検知器があった（例えば特許文献１参照）。
【０００３】
人体検知器のハウジングはボディとカバーとを結合して構成されており、ボディの下端部から側方に突出するフランジが設けられている。人体検知器は、フランジの螺子挿通孔に挿通された引締め螺子と、引締め螺子の軸部に嵌め合わされた挟み金具とを利用して造営材に取り付けられる。カバーには、引締め螺子の軸部を収納する収納部が形成されている。収納部は、一側面と下面とが開放された直方体状の形状に形成されている。収納部の上端部には、上下方向に直交する面内で挟み金具を出入り可能とするスリットが形成されている。
【０００４】
挟み金具がスリットに入っている状態でハウジングの上面が天井材の下面に接触する位置にハウジングを配置して、引締め螺子の頭部を回すと、挟み金具がスリットから出て、下方へ移動し、挟み金具とフランジとの間に天井材を挟持することができる。
【先行技術文献】
【特許文献】
【０００５】
【特許文献１】特開２０１６−６５７７４号公報
【発明の概要】
【発明が解決しようとする課題】
【０００６】
特許文献１では、収納部の上端部で引締め螺子が保持されていないため、螺子挿入孔から引締め螺子が脱落しにくくする構成をフランジに設ける必要があった。
【０００７】
本発明の目的は、引締めねじが抜けにくくする構成をフランジ部に設ける必要が無い挟み取付構造、及びそれを備える電気器具を提供することにある。
【課題を解決するための手段】
【０００８】
本発明の一態様の挟み取付構造は、フランジ部と、支持部材と、押さえ部材と、引締めねじとを備える。前記フランジ部は、造営材の表面に接触する接触面を有する。前記支持部材は、前記フランジ部の前記接触面から突出している。前記押さえ部材は、前記フランジ部との間で前記造営材を挟む。前記引締めねじは、少なくとも一部に雄ねじ部が設けられた軸部及び前記軸部の一端に設けられたねじ頭を有している。前記支持部材には、前記軸部のうち前記雄ねじ部が設けられた部位が少なくとも配置されるガイド溝が設けられている。前記ガイド溝は、前記接触面と直交する方向に沿って前記支持部材に設けられている。前記支持部材は、前記ガイド溝の両端のうち前記フランジ部と反対側の端に位置する支持片を有している。前記フランジ部及び前記支持片には、前記軸部の軸方向において前記ガイド溝と外部とをつなぐ第１挿入孔及び第２挿入孔がそれぞれ設けられている。前記押さえ部材は、前記ガイド溝に配置された前記雄ねじ部と噛み合う雌ねじ部と、前記ガイド溝の外側に突出して前記フランジ部との間で前記造営材を挟むための押さえ片とを有している。前記ねじ頭が前記フランジ部における前記接触面と反対側の面に配置され、前記第１挿入孔と前記第２挿入孔とに前記軸部が挿入された状態で、前記軸部のうち前記第２挿入孔から前記フランジ部と反対側に突出している部位に抜け止め部が設けられている。前記軸部の前記軸方向と直交する一方向において前記抜け止め部の寸法が前記第２挿入孔の直径よりも大きい。
【０００９】
本発明の一態様の電気器具は、前記挟み取付構造と、前記挟み取付構造を用いて前記造営材に取り付けられるハウジングとを備えている。
【発明の効果】
【００１０】
本発明によれば、引締めねじが抜けにくくする構成をフランジ部に設ける必要が無い挟み取付構造、及びそれを備える電気器具を提供することにある。
【図面の簡単な説明】
【００１１】
【図１】図１は、本発明の一実施形態に係る電気器具の分解斜視図である。
【図２】図２は、同上の電気器具の外観斜視図である。
【図３】図３は、同上の電気器具の施工状態図である。
【図４】図４Ａ及び図４Ｂは、同上の電気器具の側面図である。
【図５】図５は、図３におけるＣ１−Ｃ１線断面図である。
【発明を実施するための形態】
【００１２】
以下に説明する実施形態は、本発明に係る挟み取付構造、及びそれを備える電気器具の一例にすぎない。本発明は、以下の実施形態に限定されず、以下の実施形態は、本発明の目的を達成できれば、設計等に応じて種々の変更が可能である。
【００１３】
（１）概要
本実施形態の挟み取付構造３０は、図１及び図２に示すように、フランジ部１１と、支持部材３１と、引締めねじ３２と、押さえ部材３３とを備える。
【００１４】
フランジ部１１は、造営材２００（図３参照）の表面に接触する接触面１１１を有する。
【００１５】
支持部材３１はフランジ部１１の接触面１１１から突出している。
【００１６】
押さえ部材３３は、フランジ部１１との間で造営材２００を挟む。
【００１７】
引締めねじ３２は、少なくとも一部に雄ねじ部３２１が設けられた軸部３２２と、軸部３２２の一端に設けられたねじ頭３２３とを有している。
【００１８】
支持部材３１には、軸部３２２のうち雄ねじ部３２１が設けられた部位が少なくとも配置されるガイド溝３１５が設けられている。ガイド溝３１５は、接触面１１１と直交する方向（図２の矢印Ｄ１が示す方向）に沿って支持部材３１に設けられている。支持部材３１は、ガイド溝３１５の両端のうちフランジ部１１と反対側の端に位置する支持片３１６を有している。
【００１９】
フランジ部１１及び支持片３１６には、軸部３２２の軸方向においてガイド溝３１５と外部とをつなぐ第１挿入孔１１２及び第２挿入孔３１１がそれぞれ設けられている。
【００２０】
押さえ部材３３は、ガイド溝３１５に配置された雄ねじ部３２１と噛み合う雌ねじ部３３１と、ガイド溝３１５の外側に突出してフランジ部１１との間で造営材２００を挟むための押さえ片３３３とを有している。
【００２１】
ねじ頭３２３がフランジ部１１における接触面１１１と反対側の面に配置され、第１挿入孔１１２と第２挿入孔３１１とに軸部３２２が挿入された状態で、軸部３２２のうち第２挿入孔３１１からフランジ部１１と反対側に突出している部位に抜け止め部３２５が設けられている。そして、軸部３２２の軸方向と直交する一方向（図２の矢印Ｄ２が示す方向）において抜け止め部３２５の寸法Ｗ１が前記第２挿入孔の直径よりも大きくなっている。
【００２２】
本実施形態の電気器具は、挟み取付構造３０と、挟み取付構造３０を用いて造営材２００に取り付けられるハウジング２とを備えている。
【００２３】
上述のように、軸部３２２の軸方向と直交する一方向において抜け止め部３２５の寸法Ｗ１が第２挿入孔３１１の直径よりも大きいため、抜け止め部３２５が第２挿入孔３１１に引っ掛かるので、引締めねじ３２が第１挿入孔１１２から抜けにくくなる。したがって、引締めねじ３２が抜けにくくする構成をフランジ部１１に設ける必要が無いという利点がある。
【００２４】
（２）詳細
（２．１）構成
以下、本発明に係る挟み取付構造、及びそれを備える電気器具の実施形態を図１〜図５に基づいて説明する。なお、図１などにおいて「上」、「下」、「左」、「右」、「前」、「後」の矢印で示す通りに各方向を規定する。ただし、これらの方向は挟み取付部材や電気器具の使用時の方向を規定する趣旨ではない。また、図面中の各方向を示す矢印は説明のために表記しているに過ぎず、実体を伴わない。
【００２５】
本実施形態の電気器具は、天井を構成する造営材２００に取り付けられる熱線センサ付き自動スイッチ（以下、単にスイッチと言う。）１である。スイッチ１は、人の存否を検出するセンサ４０を備え、センサ４０の検出結果に応じて負荷を制御する。この種のスイッチ１は、例えば負荷を照明とした場合、センサ４０の検知エリアに人が入ったときに照明を点灯させ、センサ４０の検知エリアに人がいない状態が所定時間継続すると照明を消灯させるといった制御に用いられる。
【００２６】
スイッチ１は、図１に示すように、ボディ２０とカバー１０とで構成されるハウジング２を備えている。ハウジング２の内部には、センサ４０を有する回路ブロック４と、レンズブロック５と、ばね部材７とが収納されている。またスイッチ１は、プレート８と、端子カバー９とを、さらに備えている。
【００２７】
カバー１０は合成樹脂の成形品で構成されている。カバー１０は、下面が閉塞されて上面に開口が設けられた筒部１２（図２参照）を備えている。本実施形態では、ハウジング２を構成するカバー１０と一体に、挟み取付構造３０のフランジ部１１が設けられている。
【００２８】
フランジ部１１は円板形状に形成されている。フランジ部１１の厚み方向の一面が接触面１１１となり、接触面１１１から筒部１２が突出している。なお、本実施形態ではフランジ部１１の上面が接触面１１１となる。フランジ部１１の上面には凹みや孔などが形成されており、フランジ部１１の上面の全体が造営材２００と接触するようには構成されていないが、フランジ部１１の上面が平坦な平面に形成され、フランジ部１１の上面の全体が造営材２００と接触してもよい。
【００２９】
フランジ部１１には、筒部１２の内側に、接触面１１１と直交する方向（フランジ部１１の厚み方向）においてフランジ部１１を貫通する円形の貫通孔１１３が設けられている。フランジ部１１には、筒部１２の外側の２箇所にフランジ部１１を厚み方向に貫通する第１挿入孔１１２がそれぞれ設けられている。２つの第１挿入孔１１２は、接触面１１１においてフランジ部１１の中心位置に対して対称な位置に設けられている。
【００３０】
２つの第１挿入孔１１２の各々には引締めねじ３２が下側から挿入される。引締めねじ３２は皿ねじであり、軸部３２２のうちねじ頭３２３に近い基部３２７と先端部３２４とを除いた部位にねじ溝が形成されている。引締めねじ３２の軸部３２２のうちねじ溝が形成された部分を雄ねじ部３２１という。ここで、第１挿入孔１１２の内径が、引締めねじ３２の雄ねじ部３２１の呼び径よりも大きくなるようにカバー１０が形成されているので、第１挿入孔１１２の内径と引締めねじ３２との間には隙間ができる。したがって、第１挿入孔１１２には引締めねじ３２が引っ掛かること無く、スムーズに挿入される。
【００３１】
ねじ頭３２３がフランジ部１１の下面に配置され、第１挿入孔１１２と第２挿入孔３１１とに軸部３２２が挿入された状態で、軸部３２２のうち第２挿入孔３１１から上側に突出している部位に抜け止め部３２５が設けられている（図２及び図３参照）。ここで、軸部３２２の軸方向と直交する一方向（図２の矢印Ｄ２が示す方向）において抜け止め部３２５の寸法Ｗ１は第２挿入孔３１１の直径よりも大きい。また、軸部３２２のうち軸部３２２の軸方向において支持片３１６に対して抜け止め部３２５と反対側の部位に雄ねじ部３２１と連続して回転止め部３２６（図２、図３、図５参照）が設けられている。ここで、軸部３２２の軸方向と直交する一方向（図５の矢印Ｄ２が示す方向）において回転止め部３２６の寸法Ｗ２が雄ねじ部３２１の谷の径よりも大きい。
【００３２】
筒部１２は、左右方向において対向する２つの側壁１２１と、前後方向において対向する２つの側壁１２２とを有している。２つの側壁１２２の各々には、それぞれ上向きに突出する２つの突出片１２３が設けられている。各突出片１２３には貫通孔１２４が設けられている。
【００３３】
ボディ２０は合成樹脂の成形品で構成されている。ボディ２０は上部が閉じた筒形状に形成されており、ボディ２０の下部には開口が設けられている。ボディ２０の側壁には、各突出片１２３の貫通孔１２４に対応する部位に、貫通孔１２４に挿入される突起２０１が設けられている。したがって、ボディ２０とカバー１０とを互いに近づけ、各突出片１２３の貫通孔１２４に突起２０１を挿入させることによって、カバー１０とボディ２０とが結合される（図２、図４Ａ、図４Ｂ参照）。
【００３４】
ボディ２０の上面には、負荷及び交流電源などの外部回路と回路ブロック４との間を電気的に接続するための電線が挿入される電線挿入孔２０２（図５参照）が設けられている。ボディ２０の内部には電線が接続される接続端子が収納されている。電線挿入孔２０２からボディ２０の内部に挿入された電線は接続端子に電気的かつ機械的に接続され、接続端子を介して外部回路と回路ブロック４とが電気的に接続される。なお、ボディ２０の上面には、電線挿入孔２０２を覆う端子カバー９が取り付けられる。
【００３５】
本実施形態では、ハウジング２を構成するボディ２０の左右の側壁に、それぞれ挟み取付構造３０の支持部材３１が一体に設けられている。つまり、フランジ部１１の接触面１１１から突出するボディ２０に支持部材３１が設けられている。支持部材３１は、接触面１１１と直交する方向（図２の矢印Ｄ１が示す方向）に沿って延びる一対の側壁３１２，３１３を備え、一対の側壁３１２，３１３の間にガイド溝３１５が設けられている。つまり、ガイド溝３１５は、接触面１１１と直交する方向に沿って支持部材３１に設けられており、ガイド溝３１５には、引締めねじ３２の軸部３２２のうち雄ねじ部３２１が設けられた部位が少なくとも配置されている。なお、一対の側壁３１２，３１３はボディ２０の上面よりも上方まで突出しており、一対の側壁３１２，３１３においてボディ２０よりも上側に突出している部位の一端側（ボディ２０側）は後壁３１４によって閉塞されている。
【００３６】
また、一方の側壁３１２と後壁３１４とは他方の側壁３１３よりも上側まで突出しており、側壁３１２及び後壁３１４の上端部からはガイド溝３１５の上端に位置する支持片３１６が突出している。つまり、支持部材３１は、ガイド溝３１５の両端のうちフランジ部１１と反対側の端に位置する支持片３１６を有しており、この支持片３１６には軸部３２２の軸方向において支持片３１６を貫通する第２挿入孔３１１が設けられている。ここで、第２挿入孔３１１の内径は、引締めねじ３２の先端部３２４の直径よりも大きくなっている。なお、本実施形態では先端部３２４にはねじ溝が形成されていないが、先端部３２４にねじ溝が形成されている場合、第２挿入孔３１１の内径は先端部３２４に設けられた雄ねじ部の呼び径よりも大きければよい。
【００３７】
側壁３１２の上端部と支持片３１６との間には押さえ部材３３が挿入される凹部３１７が形成されている。本実施形態では凹部３１７は後壁３１４の途中まで形成されており、軸部３２２の軸方向と直交する一方向（図４Ｂ及び図５の矢印Ｄ３が示す方向）の両側にガイド溝３１５が開放されている。ここにおいて、凹部３１７は、軸部３２２の軸方向において回転止め部３２６に対応する部位に設けられている。本実施形態では、凹部３１７とガイド溝３１５の開口とで、軸部３２２の軸方向において回転止め部３２６に対応する部位で、軸部３２２の軸方向と直交する一方向の両側に開放されるように、ガイド溝３１５と外部とをつなぐ貫通部が構成されている。
【００３８】
押さえ部材３３は、雌ねじ部３３１が設けられた円板形状の基部３３２と、基部３３２の一端部から突出する押さえ片３３３とを備えている。押さえ部材３３の雌ねじ部３３１には引締めねじ３２の雄ねじ部３２１が噛み合わされており、押さえ片３３３はガイド溝３１５から外側に突出している。引締めねじ３２が回転すると、引締めねじ３２の回転に応じて押さえ部材３３が回転する。押さえ部材３３の回転に応じて押さえ片３３３が側壁３１２又は側壁３１３に接触すると、押さえ部材３３の回転が規制され、押さえ部材３３がガイド溝３１５内を軸部３２２の軸方向に沿って移動する。例えば、引締めねじ３２が下側から見て時計回りに回転すると、引締めねじ３２の回転に応じて押さえ片３３３がフランジ部１１に近づく向き（下側）に移動する。引締めねじ３２が下側から見て反時計回りに回転すると、引締めねじ３２の回転に応じて押さえ片３３３が側壁３１３に接触し、押さえ片３３３がフランジ部１１から離れる向き（上側）に移動する。なお、以下の説明において、引締めねじ３２の回転方向を「反時計回り」、「時計回り」と説明するが、この方向は引締めねじ３２のねじ頭３２３を下側から見たときの回転方向である。
【００３９】
回路ブロック４はハウジング２の内部に収納される。回路ブロック４は、人の存否を検知するセンサ４０を備えている。センサ４０は例えば焦電型の赤外線検出素子を有しており、人体から放射される熱線を検出することによって、検知エリアにおける人の存否を検知する。回路ブロック４は、照明負荷と交流電源との間に接続されるスイッチ素子（例えばトライアックなど）と、センサ４０の検知結果に応じてスイッチ素子をオン／オフする制御回路とを備えている。センサ４０が人を検知すると、回路ブロック４の制御回路がスイッチ素子をオンにするので、照明負荷が点灯する。センサ４０が人を検知していない状態が一定時間継続すると、回路ブロック４の制御回路がスイッチ素子をオフにするので、照明負荷が消灯する。
【００４０】
レンズブロック５は、レンズ５０と、レンズ５０を保持する回転枠６０とを備える。
【００４１】
レンズ５０は、熱線を透過しやすい性質の合成樹脂で形成されている。レンズ５０は、検知エリアから入射する熱線をセンサ４０の受光面に集光させる機能を有している。
【００４２】
回転枠６０は、球体の中心を通る平面と平行な２平面で球体を切断したような円筒形状に形成されている。回転枠６０の周面には棒状の２つの軸部６１（図１参照）が設けられている。２つの軸部６１は、回転枠６０の周面において、回転枠６０の中心軸に対して対称な位置に設けられている。レンズ５０は、レンズ５０の受光面が回転枠６０の一端側から露出するように回転枠６０に保持されている。
【００４３】
ばね部材７は、ばね性を有する金属材料（例えばステンレス）の板材にプレス加工を施すことによって形成されている。ばね部材７は、内側と外側の二重の円環部を複数本の連結片で連結したような形状に形成されている。
【００４４】
このレンズブロック５は、レンズ５０を貫通孔１３から下側に突出させ、２つの軸部６１を貫通孔１３の周縁部分に接触させた状態で、フランジ部１１の上側に配置される。ばね部材７は、内側の円環部に回転枠６０の上部が挿入された状態で、フランジ部１１の上側に配置され、レンズブロック５に下向きのばね力を加えている。このレンズブロック５は、フランジ部１１の接触面１１１と平行な平面内で回転枠６０の中心軸を中心に回転することができ、また軸部６１と直交する平面内で軸部６１を中心に回転することができる。
【００４５】
フランジ部１１の下面にはプレート８が着脱自在に取り付けられる。例えばプレート８の上面に設けられた爪を、フランジ部１１の孔に引っ掛けることによって、プレート８はフランジ部１１に取り付けられる。プレート８の中心には貫通孔８１が設けられ、この貫通孔８１にレンズ５０が挿入される。したがって、このスイッチ１が天井のような造営材２００に取り付けられた状態では、天井の下側の検知エリアからの熱線がレンズ５０を通ってセンサ４０に入射することができる。
【００４６】
（２．２）組立方法
以下、本実施形態のスイッチ１の組み立て方法について説明する。以下の各工程の一部又は全部が機械化されてもよいし、人が組み立て作業を行ってもよい。
【００４７】
第１の工程では、カバー１０にレンズブロック５とばね部材７とが保持され、ボディ２０の内部に回路ブロック４が収納される。そして、カバー１０とボディ２０とが組み合わされ、突出片１２３の貫通孔１２４に突起２０１が挿入されることによって、カバー１０とボディ２０とが結合される。
【００４８】
第２の工程では、フランジ部１１の第１挿入孔１１２に、フランジ部１１の下面から引締めねじ３２が挿入される。また、第１挿入孔１１２から上側に露出する引締めねじ３２の先端部３２４に押さえ片３３３の雌ねじ部３３１が挿入され、引締めねじ３２が回転させられることによって雄ねじ部３２１と雌ねじ部３３１とが噛み合わされる。
【００４９】
第３の工程では、図４Ａに示すように、引締めねじ３２の先端部３２４を支持片３１６の第２挿入孔３１１から上側に突出させる。そして、図４Ｂに示すように、支持片３１６から上側に突出する引締めねじ３２の先端部３２４が、一対の工具４００の先端で両側から挟まれて押し潰される。これにより、引締めねじ３２の先端部３２４に抜け止め部３２５が形成される。軸部３２２の軸方向と直交する一方向における抜け止め部３２５の寸法Ｗ１は第２挿入孔３１１の内径よりも大きいので、引締めねじ３２はフランジ部１１から抜けにくくなる。
【００５０】
第４の工程では、引締めねじ３２の雄ねじ部３２１において、支持片３１６よりも下側の部位が、軸部３２２の軸方向と直交する一方向の両側から一対の工具４００の先端で挟まれて押し潰される。これにより、押さえ部材３３の雌ねじ部３３１に回転止め部３２６が形成される（図３及び図５）。ここで、軸部３２２の軸方向と直交する一方向における回転止め部３２６の寸法Ｗ２は雄ねじ部３２１の谷の径よりも大きくなっている。したがって、雄ねじ部３２１に沿って押さえ部材３３が移動し、雌ねじ部３３１が回転止め部３２６に当たると、押さえ部材３３はそれ以上回転できず、押さえ部材３３の回転が規制される。
【００５１】
第５の工程では、フランジ部１１の下面を覆うようにフランジ部１１にプレート８が取り付けられ、ボディ２０の上側に端子カバー９が取り付けられる。
【００５２】
（２．３）施工方法
以下、本実施形態のスイッチ１を造営材２００に取り付ける施工方法について説明する。
【００５３】
スイッチ１を造営材２００に取り付ける際には、押さえ部材３３の押さえ片３３３が凹部３１７に収納されており、この状態では、押さえ片３３３がボディ２０の上側に配置されている。また、プレート８がフランジ部１１から外されている。
【００５４】
造営材２００には、スイッチ１のうちフランジ部１１の接触面１１１から突出している部位（ボディ２０など）が挿入可能な大きさの貫通孔２１０が設けられている（図３参照）。この貫通孔２１０にスイッチ１のうちフランジ部１１の接触面１１１から突出している部位を挿入し、フランジ部１１の接触面１１１を造営材２００の下面に接触させる。そして、引締めねじ３２がドライバーなどの工具で時計回りに回されると、引締めねじ３２の回転に応じて押さえ部材３３が時計回りに回転し、押さえ片３３３が凹部３１７の外に出て、側壁３１２に接触する。押さえ片３３３が側壁３１２に当たる位置まで移動すると、押さえ片３３３は、造営材２００のうち貫通孔２１０の周縁部と上下方向に重なる位置に存在する。また、押さえ片３３３が側壁３１２に当たると、押さえ部材３３の回転が規制される。この状態で引締めねじ３２が時計回りに回されると、押さえ部材３３は引締めねじ３２の回転に応じて軸部３２２の軸方向に沿って下側に移動し、押さえ片３３３が造営材２００の上面に接触する。この時、押さえ部材３３とフランジ部１１との間で天井の造営材２００が挟持され、ハウジング２が天井に固定された状態となる。その後、フランジ部１１の下面にプレート８が取り付けられると、スイッチ１の取付が完了する。
【００５５】
一方、スイッチ１を造営材２００から取り外す際には、まずプレート８がフランジ部１１から取り外される。そして、引締めねじ３２がドライバーなどの工具で反時計回りに回されると、引締めねじ３２の回転に応じて押さえ部材３３が反時計回りに回転し、押さえ片３３３が側壁３１３に当たると、押さえ部材３３の回転が規制される。この状態で、引締めねじ３２が反時計回りに回されると、押さえ部材３３は引締めねじ３２の回転に応じて軸部３２２の軸方向に沿って上側に移動する。そして、押さえ片３３３が側壁３１３よりも上側まで移動すると、押さえ片３３３が反時計回りに回転し、押さえ片３３３が凹部３１７内に挿入された状態となる。この状態では、押さえ片３３３がボディ２０の上側に存在しており、押さえ片３３３が造営材２００のうち貫通孔３１０の周縁部と上下方向において重ならない位置にある。したがって、ハウジング２を下側に移動させると、押さえ片３３３が造営材２００のうち貫通孔３１０の周縁部に引っ掛かることなく、ハウジング２を造営材２００から取り外すことができる。
【００５６】
（３）変形例
以下に、上記実施形態の変形例に係る挟み取付構造及び電気器具を列記する。なお、以下に説明する変形例の各構成は、上記実施形態で説明した各構成と適宜組み合わせて適用可能である。
【００５７】
本実施形態の挟み取付構造３０では、引締めねじ３２の一部に力を加えて塑性変形させることで抜け止め部３２５が形成されているが、他の方法で形成されてもよい。例えば、引締めねじ３２の一部に熱を加えて変形させることで抜け止め部３２５が形成されてもよい。また、引締めねじ３２の一部に、軸部３２２と直交する一方向における寸法Ｗ２が第２挿入孔３１１の内径よりも大きい別部材を溶接、接触、ねじ結合などの方法で取り付けることで、抜け止め部３２５が設けられてもよい。
【００５８】
本実施形態の挟み取付構造３０では、引締めねじ３２の一部に力を加えて塑性変形させることで回転止め部３２６が形成されているが、回転止め部３２６は他の方法で設けられてもよい。例えば、引締めねじ３２の一部に、軸部３２２と直交する一方向における寸法が雄ねじ部３２１の谷の径よりも大きい別部材を溶接、接触、ねじ結合などの方法で取り付けることで、回転止め部３２６が設けられてもよい。
【００５９】
また、本実施形態の挟み取付構造３０では、軸部３２２のうち雄ねじ部３２１が形成されている部位に回転止め部３２６が形成されているが、回転止め部３２６は雄ねじ部３２１に連続するように設けられていればよい。例えば、軸部３２２のうち雄ねじ部３２１が設けられていない先端部３２４において、雄ねじ部３２１の近傍に回転止め部３２６が設けられていてもよい。この場合でも軸部３２の回転に応じて雄ねじ部３２１の端まで移動した押さえ部材３３が回転止め部３２６に当たることで、雌ねじ部３３１と雄ねじ部３２１との噛み合いが外れにくくなる。
【００６０】
本実施形態の挟み取付構造３０では、引締めねじ３２及び押さえ部材３３が金属部品であるが、引締めねじ３２及び押さえ部材３３は必要な強度が得られるのであれば合成樹脂で形成されてもよい。
【００６１】
本実施形態の挟み取付構造３０は、天井を構成する造営材にハウジング２を取り付けているが、壁などの造営材にハウジング２を取り付けるものでもよい。
【００６２】
本実施形態の電気器具は熱線センサ付き自動スイッチであるが、電気器具は熱線センサ付き自動スイッチに限定されない。電気器具は、スイッチを備えていない熱線センサでもよい。また本実施形態の電気器具は、熱線を検知する焦電素子を備えた熱線センサであるが、光学式のセンサでもよく、例えば画像センサを備え画像センサで撮像された画像をもとに人の存否を検知する人検知センサでもよい。また、電気器具は、人以外の検知対象（例えば明るさなど）を検知するセンサを備えていてもよい。また、電気器具はセンサに限定されず、ダウンライトなどの照明器具でもよい。
【００６３】
また本実施形態の挟み取付構造３０は、電気器具のハウジング２と一体にフランジ部１１及び支持部材３１が設けられているが、挟み取付構造３０と電気器具のハウジング２とが別体であってもよい。すなわち、フランジ部１１と支持部材３１と引締めねじ３２と押さえ部材３３とを有する挟み取付構造３０が、ボディ２０及びカバー１０からなるハウジング２と別体に形成されていてもよい。そして、ハウジング２と別体に構成された挟み取付構造３０に対して、電気器具のハウジング２が取り付けられてもよい。ここで、挟み取付構造３０に電気器具のハウジング２を取り付けるための構造を複数種類の電気器具で共通化しておけば、複数種類の電気器具に本実施形態の挟み取付構造３０を適用することができる。
【００６４】
（４）効果
第１の態様の挟み取付構造３０は、フランジ部１１と、支持部材３１と、押さえ部材３３と引締めねじ３２とを備えている。フランジ部１１は、造営材２００の表面に接触する接触面１１１を有する。支持部材３１はフランジ部１１の接触面１１１から突出している。押さえ部材３３はフランジ部１１との間で造営材２００を挟む。引締めねじ３２は、少なくとも一部に雄ねじ部３２１が設けられた軸部３２２と、軸部３２２の一端に設けられたねじ頭３２３とを有している。支持部材３１には、軸部３２２のうち雄ねじ部３２１が設けられた部位が少なくとも配置されるガイド溝３１５が、接触面１１１と直交する方向に沿って設けられている。支持部材３１は、軸部３２２の軸方向においてガイド溝３１５のフランジ部１１と反対側の端にある支持片３１６を有している。フランジ部１１及び支持片３１６には、軸部３２２の軸方向においてガイド溝３１５と外部とをつなぐ第１挿入孔１１２及び第２挿入孔３１１がそれぞれ設けられている。押さえ部材３３は、ガイド溝３１５に配置された雄ねじ部３２１と噛み合う雌ねじ部３３１と、ガイド溝３１５の外側に突出してフランジ部１１との間で造営材２００を挟むための押さえ片３３３とを有している。ねじ頭３２３がフランジ部１１における接触面１１１と反対側の面に配置され、第１挿入孔１１２と第２挿入孔３１１とに軸部３２２が挿入された状態で、軸部３２２のうち第２挿入孔３１１からフランジ部１１と反対側に突出している部位に抜け止め部３２５が設けられている。軸部３２２の軸方向と直交する一方向（図２の矢印Ｄ２が示す方向）において抜け止め部３２５の寸法Ｗ１が第２挿入孔３１１の直径よりも大きくなっている。
【００６５】
これにより、軸部３２２に設けられた抜け止め部３２５が第２挿入孔３１１の周縁部に引っ掛かることで、引締めねじ３２がフランジ部１１から抜けにくくなる。したがって、引締めねじ３２が抜けにくくする構成をフランジ部１１に設ける必要が無いという利点がある。
【００６６】
第２の態様の挟み取付構造３０は、第１の態様において、軸部３２２のうち軸方向において支持片３１６に対して抜け止め部３２５と反対側の部位に雄ねじ部３２１と連続して回転止め部３２６が設けられてもよい。軸部３２２の軸方向と直交する一方向（図５の矢印Ｄ２が示す方向）において回転止め部３２６の寸法が雄ねじ部３２１の谷の径よりも大きいことが好ましい。
【００６７】
これにより、押さえ部材３３が引締めねじ３２の回転に応じて軸部３２２の軸方向に沿って移動した場合に、雌ねじ部３３１が回転止め部３２６に当たると、押さえ部材３３はそれ以上軸部３２２の軸方向に沿って移動できなくなる。したがって、雌ねじ部３３１と雄ねじ部３２１との噛み合いが外れにくくなる。
【００６８】
第３の態様の挟み取付構造３０は、第２の態様において、支持部材３１には、軸部３２２の軸方向において回転止め部３２６に対応する部位に貫通部（本実施形態では凹部３１７及びガイド溝３１５の開口からなる）が設けられてもよい。この貫通部は、ガイド溝３１５が軸部３２２の軸方向と直交する一方向（図４Ｂ及び図５の矢印Ｄ３が示す方向）の両側に開放されるように、ガイド溝３１５と外部とをつないでいる。
【００６９】
これにより、貫通部を通して軸部３２２の軸方向と直交する一方向（図４Ｂ及び図５の矢印Ｄ３が示す方向）の両側から軸部３２２を挟むことができる。したがって、軸部３２２の一部を塑性変形させることで回転止め部３２６を形成する場合には、軸部３２２の一部を両側から挟んで力を加える作業がしやすくなる。
【００７０】
第４の態様の挟み取付構造３０は、第１〜第３のいずれか１つの態様において、第１挿入孔１１２の内径が雄ねじ部３２１の呼び径よりも大きいことが好ましい。
【００７１】
これにより、第１挿入孔１１２の端面に引締めねじ３２の雄ねじ部３２１が干渉することはなく、第１挿入孔１１２に引締めねじ３２をスムーズに挿入することができる。例えば、第１挿入孔１１２の内径が雄ねじ部３２１の呼び径以下であれば、第１挿入孔１１２に引締めねじ３２を挿入する際に、第１挿入孔１１２の端面に引締めねじ３２の雄ねじ部３２１が干渉する可能性がある。とくに、第１挿入孔１１２の内径が雄ねじ部３２１の呼び径よりも小さい場合、第１挿入孔１１２の端面にねじ溝を形成しながら雄ねじ部３２１が挿入されるから、第１挿入孔１１２に引締めねじ３２を挿入する作業に時間がかかる。また、第１挿入孔１１２の端面にねじ溝を形成することで、削りカスが発生するという問題がある。それに対して、第１挿入孔１１２の内径が雄ねじ部３２１の呼び径よりも大きければ、第１挿入孔１１２に引締めねじ３２を短時間で挿入でき、第１挿入孔１１２に引締めねじ３２を挿入する際に削りカスが発生しにくくなるという利点がある。
【００７２】
第５の態様の電気器具は、第１〜第４のいずれか１つの態様の挟み取付構造３０と、挟み取付構造３０を用いて造営材２００に取り付けられるハウジング２とを備えている。これにより、第１の態様の挟み取付構造３０と同様に、引締めねじ３２が抜けにくくする構成をフランジ部１１に設ける必要が無いという利点がある。
【符号の説明】
【００７３】
１  熱線センサ付き自動スイッチ（電気器具）
２  ハウジング
１０  カバー
１１  フランジ部
２０  ボディ
３０  挟み取付構造
３１  支持部材
３３  押さえ部材
１１１  接触面
１１２  第１挿入孔
２００  造営材
３１１  第２挿入孔
３１２  側壁
３１３  側壁
３１５  ガイド溝（貫通部）
３１６  支持片
３１７  凹部（貫通部）
３２１  雄ねじ部
３２２  軸部
３２３  ねじ頭
３２５  抜け止め部
３２６  回転止め部
３３１  雌ねじ部
３３３  押さえ片
Ｗ１    軸部と直交する一方向における抜け止部の寸法
Ｗ２    軸部と直交する一方向における回転止め部の寸法
【図１】
2018004017.tif 000003
【図２】
2018004017.tif 000004
【図３】
2018004017.tif 000005
【図４】
2018004017.tif 000006
【図５】
2018004017.tif 000007